(57)【要約】      （修正有）【課題】全体的な電極組立体の巻取りの厚さを減少させる事ができる電極組立体及びこれを用いるリチウムイオン二次電池を提供する。【解決手段】負極集電体１００中、負極導電タブ１５０が溶接された領域１２０＿１及びこれと隣接して重なる領域１２０＿２の外周縁に活物質１４０を形成し、また、正極集電体２００中、正極導電タブ２５０が溶接された領域２２０＿１及びこれと隣接して重なる領域２２０＿２の外周縁に活物質２４０を形成する。このようにして、電極組立体中、導電タブと対応する部分が突出しないことにより、電極組立体を缶やパウチなどに容易に嵌め込むことができる。【選択図】図２ａ
2006012808.tif 000002
【特許請求の範囲】
【請求項１】
終端近くに負極導電タブが溶接され、前記負極導電タブから所定の間隔をおいて配置された外周縁に負極活物質がコーティングされる負極集電体と、
終端近くに正極導電タブが溶接され、前記正極導電タブから所所定の間隔をおいて配置された外周縁に正極活物質がコーティングされると共に、前記負極集電体と共に多数回巻取られる正極集電体と、を含んでなることを特徴とする電極組立体。
【請求項２】
前記負極集電体は、実質的に平らな第１面と、その反対側にある実質的に平らな第２面とを有し、前記第１面と第２面とには各々第１、２〜ｎ-１、ｎ領域が備えられ、各領域間には第１、２〜ｎ-２、ｎ-１折り畳み線折り畳み線が形成されて巻取られることを特徴とする、請求項１記載の電極組立体。
【請求項３】
前記負極活物質は、前記負極集電体の第１面中、第３、４〜ｎ-２、ｎ-１領域と、前記負極集電体の第２面中、第２、３〜ｎ-１、ｎ領域と、に所定の厚さでコーティングされることを特徴とする、請求項２記載の電極組立体。
【請求項４】
前記負極導電タブは、前記負極集電体の第１面中、第１領域に溶接されて、外部に所定の長さが延びて、表面は絶縁テープで覆い被されたことを特徴とする、請求項３記載の電極組立体。
【請求項５】
前記負極集電体は、第１折り畳み線を中心として、第１、２領域の第１面が相互密着して巻取られ始めることを特徴とする、請求項２記載の電極組立体。
【請求項６】
前記負極集電体の第１面と第２面にはセパレータが位置していることを特徴とする、請求項２記載の電極組立体。
【請求項７】
前記正極集電体は、実質的に平らな第１面と、その反対側にある実質的に平らな第２面とを有し、前記第１面と第２面とには第１、２〜ｎ-１、ｎ領域が備えられ、各領域間には第１、２〜ｎ-２、ｎ-１折り畳み線が形成されると共に、前記負極集電体に密着して巻き取られることを特徴とする、請求項１記載の電極組立体。
【請求項８】
前記正極活物質は、前記正極集電体の第１面中、第３、４〜ｎ-２、ｎ-１領域と、前記正極集電体の第２面中、第２、３〜ｎ-４、ｎ-３領域と、に所定の厚さでコーティングされることを特徴とする、請求項７記載の電極組立体。
【請求項９】
前記正極導電タブは、前記正極集電体の第１面中、第１領域に溶接されて、外部に所定の長さだけ延在し、表面は絶縁テープで覆われることを特徴とする、請求項７記載の電極組立体。
【請求項１０】
前記正極集電体は、第１面の第２領域中、一部領域にも所定の厚さの正極活物質がコーティングされることを特徴とする、請求項８記載の電極組立体。
【請求項１１】
前記正極集電体は、第１面の第２領域にも所定の厚さの正極活物質がコーティングされ、前記第１折り畳み線を通じて巻取られた後、前記正極タブと重なる領域の外周縁に活物質がコーティングされることを特徴とする、請求項８記載の電極組立体。
【請求項１２】
前記正極集電体は、第１領域の幅が残りの第２、３〜ｎ-１、ｎ領域の幅より小さく形成されることを特徴とする、請求項７記載の電極組立体。
【請求項１３】
前記負極集電体は、実質的に平らな第１面と、その反対側にある実質的に平らな第２面と、を有し、前記第１面と第２面には各々第１、２〜ｎ-１、ｎ領域が備えられ、
前記正極集電体は、実質的に平らな第１面と、その反対側にある実質的に平らな第２面と、を有し、前記第１面と第２面には第１、２〜ｎ-１、ｎ領域が備えられ、
前記負極集電体の第１領域中、第２面が前記正極集電体の第１領域中、第１面に密着して共に巻取られることを特徴とする、請求項１記載の電極組立体。
【請求項１４】
前記負極集電体は銅ホイルであることを特徴とする、請求項１記載の電極組立体。
【請求項１５】
前記負極活物質はグラファイトであることを特徴とする、請求項１記載の電極組立体。
【請求項１６】
前記負極導電タブはニッケルタブであることを特徴とする、請求項１記載の電極組立体。
【請求項１７】
前記正極集電体は、アルミニウムホイル、または、アルミニウムメッシュ（ｍｅｓｈ）中から選択された、いずれか一つであることを特徴とする、請求項１記載の電極組立体。
【請求項１８】
前記正極活物質はリチウムコバルト酸化物であることを特徴とする、請求項１記載の電極組立体。
【請求項１９】
前記正極タブはアルミニウムタブであることを特徴とする、請求項１記載の電極組立体。
【請求項２０】
一面に負極導電タブが溶接されて外部に延在し、両側の表面には負極活物質がコーティングされた負極集電体が備えられ、一面に正極導電タブが溶接されて外部に延在し、両側の表面には正極活物質がコーティングされ、巻取時、前記正極導電タブと対応する領域を除外した外周縁に正極活物質がコーティングされた正極集電体が備えられ、前記負極集電体の両面にセパレータが介挿されて共に巻取られる電極組立体と、
少なくとも一つ以上の第１面、前記第１面に連結されると共に、少なくとも一つ以上の第２面、前記第１面及び第２面に同時連結される第３面及び前記第３面と対向する上部に開口が形成されて前記電極組立体が結合する缶と、
前記缶の上部に溶接されて、前記電極組立体が外部に離脱しないようにするキャップ組立体と、
前記缶に注入された電解液と、を含んでなることを特徴とするリチウムイオン二次電池。
【発明の詳細な説明】
【技術分野】
【０００１】
本発明は、電極組立体及びこれを用いるリチウムイオン二次電池に関し、より詳細には、導電タブが溶接された領域及びこれと隣接して重なる領域の外周縁に活物質を形成することにより、全体的な巻取の厚さを減少させることができる電極組立体及びこれを用いるリチウムイオン二次電池に関する。
【背景技術】
【０００２】
一般に、リチウムイオン二次電池は、正極集電体と負極集電体とに各々活物質を所定の厚さでコーティングし、また、集電体間にはセパレータを介挿するようにして、実質的にゼリーロール（ｊｅｌｌｙ  ｒｏｌｌ）形態で多数回巻き取られた電極組立体を含む。勿論、このようなゼリーロール形態で多数回巻き取られた電極組立体は、円筒形、または、角形缶や、パウチ等に受納されて封入処理される。
【０００３】
併せて、前記集電体は、電池外部から充電電源が印加されたり、または、電池外部に放電電源が印加されたりするように、導電タブが溶接されて外部に所定の長さで延在する。即ち、正極集電体には正極導電タブが、負極集電体には負極導電タブが溶接されている。更に、このような正極導電タブ及び負極導電タブの表面にはセパレータの破損を防止し、各集電体との直接的な短絡を予防できるように所定の厚さの絶縁テープが粘着されている。
【０００４】
一方、前記集電体は略１０μｍ内外、活物質は略１２０μｍ内外、導電タブは略１００μｍ内外、絶縁テープは略４０μｍの厚さを有することにより、前記導電タブと絶縁テープとを合わせた厚さは、活物質の厚さよりだいぶ厚くなる。
【０００５】
従って、このような構造の電極組立体をゼリーロール形態で権取ることになれば、前記導電タブと絶縁テープとに該当する巻取り領域が残りの巻取り領域より一層厚くなる。即ち、前記導電タブと絶縁テープとに該当する巻取り領域が残りの領域より外部により多く突出した構造をなす。従って、このような厚さの不均衡により、電極組立体を缶やパウチなどに受納する際、前記突出した構造により電極組立体が缶、または、パウチなどに容易に挿入されなくて変形する問題が発生する。このような変形は電池の容量を劣化させる一要因となり得る。
【０００６】
また、このように、電極組立体が容易に缶等に挿入されないことにより、その電極組立体を圧着、または、密着させた状態で、缶等に挿入することになるが、このようにすると、導電タブと絶縁テープとに対応する活物質が強い力で押さえられることにより、その部分で活物質の利用度が顕著に低下する。即ち、活物質の利用度はほとんどなく、電極組立体の厚さのみを増加させることになる。
【発明の開示】
【発明が解決しようとする課題】
【０００７】
本発明は、上述の従来の問題点を克服するためのものであって、導電タブが溶接される領域及びこれと隣接して接触する領域の外周縁に活物質を形成することにより、巻取りの際、全体的な厚さを減少させることができる電極組立体及びこれを用いるリチウムイオン二次電池を提供することをその目的とする。
【課題を解決するための手段】
【０００８】
前記目的達成のために、本発明による電極組立体は、終端近くに負極導電タブが溶接され、前記負極導電タブと所定の距離だけ離隔した外周縁に負極活物質がコーティングされた負極集電体と、終端近くに正極導電タブが溶接され、前記正極導電タブと所定の距離だけ離隔した外周縁に正極活物質がコーティングされると共に、前記負極集電体と共に多数回巻取られる正極集電体と、を含む。
【０００９】
また、前記目的達成のために、本発明によるリチウムイオン二次電池は、一面に負極導電タブが溶接されて外部に延在し、両側の表面には負極活物質がコーティングされた負極集電体が備えられ、一面に正極導電タブが溶接されて外部に延在し、両側表面には正極活物質がコーティングされ、巻取り時、前記正極導電タブと対応する領域を除外した外周縁に正極活物質がコーティングされた正極集電体が備えられ、前記負極集電体の両面にはセパレータが介挿されて共に巻取られた電極組立体と、少なくとも一つ以上の第１面、前記第１面に連結されると共に、少なくとも１つ以上の第２面、前記第１面及び第２面に同時に連結された第３面及び前記第３面と対向する上部に開口が形成されて、前記電極組立体が結合する缶と、前記缶の上部に溶接されて、前記電極組立体が外部に離脱しないようにするキャップ組立体と、前記缶に注入された電解液と、を含み得る。
【００１０】
上記のようにして、本発明による電極組立体及びこれを用いたリチウムイオン二次電池は、電極組立体をなす負極集電体及び正極集電体において、導電タブと重なる領域には活物質をコーティングしないことにより、電極組立体の巻取りの厚さを最小化するようにする。即ち、前記導電タブ及び絶縁テープに該当する巻取り領域が残りの領域より外部に、より多く突出しなくなる。従って、このような電極組立体は、缶、または、パウチなどに容易に挿入されて作業性が良くなり、また、変形が抑制されて電池の容量を低下させないことになる。
【発明の効果】
【００１１】
上述のように、本発明に係る電極組立体及びこれを用いるリチウムイオン二次電池は、電極組立体をなす負極集電体及び正極集電体において、導電タブと重なる領域には活物質をコーティングしないことにより、電極組立体の巻取りの厚さを最小化する効果がある。即ち、前記導電タブ及び絶縁テープに該当する巻取り領域が残りの領域より外部に、より多く突出しなくなる。従って、このような電極組立体は、缶、または、パウチなどに容易に挿入されて作業性が良くなり、また、変形が抑制されて電池の容量を低下させない効果がある。
【００１２】
以上、説明したことは、本発明に係る電極組立体及びこれを用いるリチウムイオン二次電池を実施するための一実施形態に過ぎないものであって、本発明は前記実施形態に限定されるものではなく、以下の特許請求範囲の各請求項に記載するように、当業者であれば、本発明の要旨を逸脱しない範囲で、当業者が多様な変形及び／又は変更形態を実施可能である。
【発明を実施するための最良の形態】
【００１３】
以下、当業者が本発明を容易に実施できる程度で、本発明の好ましい実施の形態を添付の図面を参照して詳細に説明すると、次の通りである。
【００１４】
図１ａを参照すると、本発明に係る電極組立体の展開された状態が平面図で図示されており、図１ｂを参照すると、その背面図が図示されており、図１ｃを参照すると、図１ａの１-１線断面図が図示されている。
【００１５】
図示のように、本発明に係る電極組立体は、略板形態の負極集電体１００と、前記負極集電体１００の両面中、所定の領域にコーティングされた負極活物質１４０と、前記負極集電体１００の所定の領域に溶接された負極導電タブ１５０と、前記負極集電体１００の所定の領域から共に巻取られる正極集電体２００と、前記正極集電体２００の両面中、所定の領域にコーティングされた正極活物質２４０と、前記正極集電体２００の所定の領域に溶接された正極導電タブ２５０とを含んで構成される。
【００１６】
前記負極集電体１００は、実質的に平らな、または、完全に平らな第１面１１１と、その反対側にあって、実質的に平らな、または、完全に平らな第２面１１２と、を有する。また、前記第１面１１１と、これに対応する第２面１１２と、には、正方形、または、矩形をなす第１、２〜ｎ-１、ｎ領域（１２０_１、１２０_２、・・・、１２０_ｎ-１、１２０_ｎ）が形成されており、前記各々の領域間には第１、２〜ｎ-２、ｎ-１折り畳み線（１３０_１、１３０_２、・・・、１３０_ｎ-２、１３０_ｎ-１）が形成されている。勿論、このような負極集電体１００は、前記折り畳み線（１３０_１、１３０_２、・・・、１３０_ｎ-２、１３０_ｎ-１）を中心として、折り畳まれながら多数回巻取られる。また、このような負極集電体１００は、銅ホイル、または、その等価物で形成可能であるが、ここでは、その材質を限定しない。
【００１７】
前記負極活物質１４０は、前記負極集電体１００の第１面１１１中、第３、４〜ｎ-２、ｎ-１領域（１２０_３、１２０_４、・・・、１２０_ｎ-１）にコーティングされている。また、前記負極活物質１４０は、前記負極集電体１００の第２面１１２中、第２、３〜ｎ-１、ｎ領域（１２０_２、１２０_３、・・・、１２０_ｎ-１、１２０_ｎ）に所定の厚さでコーティングされている。このような負極活物質１４０は、グラファイト（ｇｒａｐｈｉｔｅ）、または、その等価物で形成可能であるが、ここでは、その材質を限定しない。
【００１８】
前記負極導電タブ１５０は、前記負極集電体１００の第１面１１１中、第１領域（１２０_１）に溶接されて、外部に所定の長さが延びている。また、前記負極導電タブ１５０の表面は、絶縁テープ１６０で覆いかぶせられて、下記するセパレータ（図示せず）の破損を防止することは勿論、正極集電体２００との直接的な電気的短絡を防止するようになっている。このような負極導電タブ１５０は、ニッケル、または、その等価物で形成可能であるが、ここでは、その材質を限定しない。
【００１９】
前記正極集電体２００は、実質的に平らな、または、完全に平らな第１面２１１と、その反対側にあって、実質的に平らな、または、完全に平らな第２面２１２とを有する。また、前記第１面２１１と、これに対応する第２面２１２とには、略正方形、または、矩形をなす第１、２〜ｎ-１、ｎ領域（２２０_１、２２０_２、・・・、２２０_ｎ-１、２２０_ｎ）が形成されており、前記各々の領域間には第１、２〜ｎ-２、ｎ-１折り畳み線（２３０_１、２３０_２、・・・、２３０_ｎ-２、２３０_ｎ-１）が形成されている。
【００２０】
また、前記正極集電体２００は、第１領域２２０_１の幅が残りの第２、３〜ｎ-１、ｎ領域（２２０_２、２２０_３、・・・、２２０_ｎ-１、２２０_ｎ）の幅より小さく形成されている。即ち、前記正極集電体２００の第１領域（２２０_１）は他の領域に比べて略２０〜８０％の幅、長さ、または、面積比を有する。勿論、このような正極集電体２００は、前記折り畳み線（２３０_１、２３０_２、・・・、２３０_ｎ-２、２３０_ｎ-１）を中心として、折り畳まれながら多数回巻取られる。前記正極集電体２００は、アルミニウムホイル、アルミニウムメッシュ、または、その等価物中、いずれかの一つを用いて形成できるが、ここでは、その材質を限定しない。
【００２１】
前記正極活物質２４０は、前記正極集電体２００の第１面２１１中、第３、４〜ｎ-２、ｎ-１領域（２２０_３、２２０_４、・・・、２２０_ｎ-２、２２０_ｎ-１）にコーティングされている。また、前記正極活物質２４０は、前記正極集電体２００の第２面２１２中、第２、３〜ｎ-４、ｎ-３領域（２２０_２、２２０_３、・・・、２２０_ｎ-４、２２０_ｎ-３）に所定の厚さでコーティングされている。より具体的に、前記正極活物質２４０は、正極集電体２００の第１面２１１中、第２領域（２２０_２）の所定領域からコーティングできる。即ち、正極集電体２００のフォールディングにより下記する正極導電タブ２５０と接触する第１面２１１中、第２領域（２２０_２）の一部を除外したその外周縁から正極活物質２４０がコーティングできる。従って、前記正極集電体２００が巻取られる際、正極導電タブ２５０と、直接、接触する領域には正極活物質２４０が形成されていないので、巻取りの厚さは最小化する。即ち、正極導電タブ２５０と絶縁テープ２６０による厚さの増加があるだけであり、これと接触する領域には正極活物質２４０が形成されないことにより、これ以上の厚さの増加はない。勿論、このような厚さの制御により巻取り完了後、電極組立体の外部に凸突出する量も最小化する。前記正極活物質２４０は、リチウムコバルト酸化物、または、その等価物が可能であり、ここでは、その材質を限定しない。
【００２２】
前記正極導電タブ２５０は、前記正極集電体２００の第１面２１１中、第１領域（２２０_１）に溶接されて外部に所定の長さだけ延在する。勿論、前記正極導電タブ２５０の表面には絶縁テープ２６０が粘着されているので、前記正極導電タブ２５０によるセパレータ（図示せず）の破損や負極集電体１００との直接的な短絡は防止できる。このような正極導電タブ２５０は、アルミニウム、または、その等価物が可能であり、ここでは、その材質を限定しない。
【００２３】
図２ａを参照すると、セパレータが介挿されて巻取られた電極組立体の断面図が図示されており、図２ｂを参照すると、図２ａの２領域拡大図が図示されている。ここで、前記電極組立体の巻取りの図面は、理解の便宜のために、負極集電体１００、セパレータ３００及び正極集電体２００が所定の間隔をおいて形成されることが図示されているが、実際に、電極組立体では各構成要素がほとんど隙間なしに密着した状態であることに留意しなければならない。
【００２４】
図示のように、負極活物質１４０がコーティングされた負極集電体１００が、略負極導電タブ１５０を中心として、反時計方向に巻取られている。即ち、負極集電体１００は、第１面１１１中、第１領域（１２０_１）及び第２領域（１２０_２）が対向して巻取られ始める。勿論、前記負極集電体１００の第１面１１１中、第１領域（１２０_１）には負極導電タブ１５０が溶接されており、これは、絶縁テープ１６０で覆いかぶせられている。また、前記負極集電体１００の第１面１１１と第２面１１２とはセパレータ３００で覆われ、前記負極集電体１００が正極集電体２００と直接的に短絡しないようになっている。従って、前記負極集電体１００の第１面１１１中、第１領域（１２０_１）と第２領域（１２０_２）との間にもセパレータ３００が介挿されて、その第１領域（１２０_１）と第２領域（１２０_２）は、直接、接触しない。
【００２５】
更に、前記負極集電体１００にコーティングされた負極活物質１４０は、第１面１１１中、第３領域（１２０_３）から形成され始め、第２面１１２では第２領域（１２０_２）から形成され始める。また、前記負極活物質１４０は、負極集電体１００の第１面１１１中、ｎ-１領域（１２０_ｎ-１）まで形成され、第２面１１２ではｎ領域（１２０_ｎ）まで形成される。
【００２６】
一方、正極集電体２００は、第１面２１１中、第１領域（２２０_１）が前記負極集電体１００の第２面２１２中、第１領域（２２０_１）にセパレータ３００が介挿されて密着する。また、前記正極集電体２００の第１領域（２２０_１）は他の領域に比べて幅、または、長さが短くなっており、その第１面２１１中、第１領域（２２０_１）に正極導電タブ２５０が溶接されている。勿論、前記正極導電タブ２５０は、絶縁テープ２６０で覆いかぶせられている。また、前記正極集電体２００中、第１面２１１にコーティングされた正極活物質２４０は、第２領域（２２０_２）の所定の部分から形成され始める。即ち、前記正極導電タブ２５０と重なる第２領域（２２０_２）の外周縁から正極活物質２４０が形成され始めることにより、前記正極導電タブ２５０及び絶縁テープ２６０による厚さの増加が最小化する。実際に、このような正極活物質２４０のコーティング構造により電極組立体の全体で略１００μｍ程度の厚さの減少効果が得られる。
【００２７】
勿論、正極集電体２００中、第２面２１２にコーティングされた正極活物質２４０は、第２領域（２２０_２）から形成され始める。更に、前記正極集電体２００の第１領域（２２０_１）は、負極集電体１００が一度折り畳まれ、２度目に折り畳まれる時から共に巻取られるので、概して巻取りの終わり部分では正極集電体２００が負極集電体１００を覆われる形態をなす。従って、角形缶の場合には、缶自体が正極であるので、負極集電体１００と缶の短絡を效率的に防止できることになる。更に、前記正極集電体２００は、第１面２１１中、ｎ-１領域（２２０_ｎ-１）まで正極活物質２４０がコーティングされており、第２面２１２ではｎ-３領域（２２０_ｎ-３）までコーティングされているので、全体的に電極組立体の表面には正極活物質２４０なしに正極集電体２００がそのまま露出した形態をなす。
【００２８】
図３ａを参照すると、本発明に係るリチウムイオン二次電池の斜視図が図示されており、図３ｂを参照すると、その分解斜視図が図示されており、図３ｃを参照すると、図３ａの３-３線で切断された断面図が図示されている。
【００２９】
図示のように、本発明に係るリチウムイオン二次電池は、電極組立体４１０（上述の１００及び２００を合わせて４１０という）と、前記電極組立体４１０が受納される缶４２０と、前記缶４２０に注入されてリチウムイオンの移動を可能にする電解液（参照符号付していない）と、前記缶４２０を覆い、かつ前記電極組立体４１０及び電解液が外部に離脱しないように阻止するキャップ組立体４３０と、から構成することができる。勿論、本発明はこのような角形電池の他に、円筒形電池、または、パウチ電池にも適用できるが、ここでは、角形電池を例として説明する。
【００３０】
まず、前記電極組立体４１０は、負極活物質１４０（例えば、グラファイト）が取り付けられた負極集電体１００、正極活物質２４０（例えば、コバルト酸リチウム）が取り付けられた正極集電体２００及び負極集電体１００を覆われて短絡を防止し、リチウムイオンの移動のみを可能にするセパレータ３００からなっており、前記の負極集電体１００、正極集電体２００及びセパレータ３００は、実質的にゼリーロール（ｊｅｌｌｙ  ｒｏｌｌ）形態で多数回巻取られて、缶４２０に受納されている。勿論、前記負極集電体１００には負極導電タブ１５０が溶接された後、絶縁テープ１６０で覆いかぶせられており、前記正極集電体２００には正極導電タブ２５０が溶接された後、絶縁テープ２６０で覆われている。
【００３１】
ここで、前記負極活物質１４０及び正極活物質２４０のコーティング形態は、上述の図１ａないし図２ｂで説明した全ての特徴を含む。即ち、負極活物質１４０の場合、負極集電体１００の第１面１１１中、第２、３〜ｎ-２、ｎ-１領域（１２０_２、１２０_３、・・・、１２０ｎ-２、１２０_ｎ-１）までコーティングされており、第２面１１２では、第２、３〜ｎ-１、ｎ領域（１２０_２、１２０_３、・・・、１２０ｎ-１、１２０_ｎ）までコーティングされている。また、正極活物質２４０の場合、正極集電体２００の第１面２１１中、正極導電タブ２５０及び絶縁テープ２６０との重複領域の外周縁である第２領域（２２０_２）の所定の領域からｎ-１領域（２２０_ｎ-１）まで形成され、第２面２１２では第２、３〜ｎ-４、ｎ-３領域（２２０_２、２２０_３、・・・、２２０ｎ-４、２２０_ｎ-３）まで形成されている。
【００３２】
従って、このような構造により電極組立体４１０には負極導電タブ１５０、または、正極導電タブ２５０による厚さの増加が最小化し、従って、電極組立体を缶４２０に容易に嵌め込むことができることになる。
【００３３】
前記缶４２０は、上部に開口４２１が形成された実質的な正方形をなす。前記缶４２０は、アルミニウム（Ａｌ）、鉄（Ｆｅ）、合金、または、その等価物で形成可能であり、ここでは、その材質を限定しない。
【００３４】
前記電解液（図示せず）は、前記缶４２０の内部に注入されて、前記電極組立体４１０の負極集電体１００と正極集電体２００との間に位置する。このような電解液は、充放電時、電池の内部の負極集電体１００及び正極集電体２００間で電気化学的反応により生成されるリチウムイオンの移動媒体の役割をし、これは、リチウム塩と高純度有機溶媒類の混合物である非水質系有機電解液とし得る。併せて、前記電解液は高分子電解質を用いたポリマーともし得る。
【００３５】
一方、前記電極組立体４１０の上部であって、前記缶４２０の開放口４２１には順次に絶縁ケース４４１、端子プレート４４２、絶縁プレート４４３が更に結合することができるが、本発明において、このような構成要素を必ずしも必要としない。勿論、前記絶縁ケース４４１、端子プレート４４２及び絶縁プレート４４３は、前記負極導電タブ１５０及び正極導電タブ２５０が上部に延在して貫通できるように通孔４４１ａが各々形成されている。また、前記絶縁プレート４４２には、下記するキャッププレート４３１を通じて電解液を注入すれば、前記電極組立体４１０側に電解液が容易に流れることができるように、電解液通孔４４１ｂも形成されている。
【００３６】
前記キャップ組立体４３０は、前記缶４２０の開放口４２１にレーザー溶接されており、これは実質的な四角板状のキャッププレート４３１を含む。前記キャッププレート４３１の中央には所定の大きさの通孔４３１ａが形成されており、その一側には電解液注入のための電解液注入口４３２が形成され、他側には相対的に厚さの薄い安全ベント４３３が形成されている。また、前記キャッププレート４３１の通孔４３１ａには絶縁ガスケット４３４が嵌合し、前記絶縁ガスケット４３４には電極（負極）端子４３５が嵌合している。勿論、前記電極端子４３５は、前記負極導電タブ１５０と溶接されて、放電、または、充電時、負極の役割を果たことができるようになっている。また、前記キャッププレート４３１の電解液注入口４３２と前記電極端子４３５との間には正極導電タブ２５０が溶接されることにより、前記キャッププレート４３１及び缶４２０は、全体的に正極になるようにしている。併せて、前記キャッププレート４３１の電解液注入口４３２には電解液注入後、その電解液が外部に流出しないようにプラグ４３６が結合及び溶接されている。
【図面の簡単な説明】
【００３７】
【図１ａ】本発明に係る電極組立体の展開された状態を示す平面図である。
【図１ｂ】本発明に係る電極組立体の展開された状態を示す背面図である。
【図１ｃ】図１ａの１-１線に沿って切断した断面図である。
【図２ａ】セパレータが介挿されて巻き取られた電極組立体を示す全体断面図である。
【図２ｂ】図２ａの領域２の拡大図である。
【図３ａ】本発明に係るリチウムイオン二次電池を示す斜視図である。
【図３ｂ】本発明に係るリチウムイオン二次電池を示す分解斜視図である。
【図３ｃ】図３ａの３-３線に沿って切断した断面図である。
【符号の説明】
【００３８】
１００  負極集電体
１１１  第１面
１１２  第２面
１２０_１、１２０_２、・・・、１２０_ｎ-１、１２０_ｎ    第１、２〜ｎ-１、ｎ領域
１３０_１、１３０_２、・・・、１３０_ｎ-１    第１、２〜ｎ-１  折り畳み線
１４０  負極活物質
１５０  負極導電タブ
１６０  絶縁テープ
２００  正極集電体
２１１  第１面
２１２  第２面
２２０_１、２２０_２、・・・、２２０_ｎ-１、 ２２０_ｎ    第１、２〜ｎ-１、ｎ 領域
２３０_１、１３０_２、・・・、２３０_ｎ-１    第１、２〜ｎ-１折り畳み線
２４０  負極活物質
２５０  負極導電タブ
２６０  絶縁テープ
３００  セパレータ
４００  本発明によるリチウムイオン二次電池
４１０  電極組立体
４２０  缶
４３０  キャップ組立体
【図１ａ】
2006012808.tif 000003
【図１ｂ】
2006012808.tif 000004
【図１ｃ】
2006012808.tif 000005
【図２ａ】
2006012808.tif 000006
【図２ｂ】
2006012808.tif 000007
【図３ａ】
2006012808.tif 000008
【図３ｂ】
2006012808.tif 000009
【図３ｃ】
2006012808.tif 000010